(57)【要約】【課題】三方枠上梁上にハンガーケースを嵩上げ固定する必要がある場合でも、運搬が容易で倉庫保管のスペースも特別な考慮が不要で、据付時の位置調整も容易で組立に時間のかからないハンガーケース固定装置を得る。【解決手段】エレベータのハンガーケースが三方枠上梁１１より上方に配設され、該三方枠上梁上に立設された一対の支持部材３に該ハンガーケースを固定するハンガーケース固定装置において、上記支持部材を固定するための上記三方枠上梁の上部に設けられた取付座１２と、この取付座またはその近傍に設けられ、運搬時には上記支持部材を上記三方枠上梁上に畳んで保持し、据付時には該支持部材を起立させ得るように該支持部材を係止する係止手段４とを備えてなるものである。【選択図】図１
2007137613.tif 000002
【特許請求の範囲】
【請求項１】
エレベータのハンガーケースが三方枠上梁より上方に配設され、該三方枠上梁上に立設された一対のハンガーケース支持部材に該ハンガーケースを固定するハンガーケース固定装置において、上記ハンガーケース支持部材を固定するための上記三方枠上梁の上部に設けられた取付座と、この取付座またはその近傍に設けられ、運搬時には上記ハンガーケース支持部材を上記三方枠上梁上に畳んで保持し、据付時には該ハンガーケース支持部材を起立させ得るように該ハンガーケース支持部材を係止する係止手段とを備えてなることを特徴とするハンガーケース固定装置。
【請求項２】
上記ハンガーケース支持部材は、断面略コ字状ないしは断面略角張ったＣ字状に形成された小柱からなることを特徴とする請求項１に記載のハンガーケース固定装置。
【請求項３】
上記係止手段は、上記取付座に突設されたボルト軸受け部及び上記ハンガーケース支持部材を貫通する貫通孔と、これら貫通孔を突き抜けて挿通され上記ハンガーケース支持部材を回動可能に保持する係止ボルトからなることを特徴とする請求項１または請求項２に記載のハンガーケース固定装置。
【請求項４】
上記取付座は、上記三方枠上梁上に立設された当て板と、一端部がこの当て板の側面に固定され、他端部の方向にかけて、上記三方枠上梁から離間して該三方枠上梁と平行に延在する上面部、及び該上面部から他端部方向に連続的にＲ形状に滑らかに下方に曲げられ、他端部が上記三方枠上梁に固定された側面部を有する受金からなり、上記小柱は下端部に底板を有し、上記係止手段は、上記受金の上面部からＲ形状の側面部にわたって連続的に形成された長穴と、上記底板に設けられた上記受金の長穴に貫通する長穴と、これら２つの長穴に挿通された係止ボルトと、この係止ボルトの先端部に螺合されたＲ面付のナットからなることを特徴とする請求項２または請求項３に記載のハンガーケース固定装置。
【請求項５】
上記ハンガーケース支持部材を起立させたときに、該ハンガーケース支持部材の下端部と、上記取付座との間に、互いに嵌合しあうことにより該ハンガーケース支持部材の上記取付座に対する位置決めが行われる嵌合構造が形成されてなることを特徴とする請求項１ないし請求項４の何れかに記載のハンガーケース固定装置。
【請求項６】
上記ハンガーケース支持部材は、起立時の上下方向の中間部に上記ハンガーケースの下端部を受ける舌状の係止部が突出形成され、上記ハンガーケースの下端部には、該係止部に嵌合する凹部が形成されてなることを特徴とする請求項１ないし請求項５の何れかに記載のハンガーケース固定装置。
【請求項７】
上記ハンガーケース支持部材は、上記舌状の係止部の近傍に縦溝を備え、上記ハンガーケースは、該ハンガーケースの凹部を上記係止部に嵌合させたときに上記ハンガーケース支持部材の縦溝に対向する位置に丸穴が設けられ、上記丸穴から上記縦溝に棒状工具を挿入して該棒状工具を左右にこじることで上記ハンガーケースの取付位置を調整するようにしてなることを特徴とする請求項６に記載のハンガーケース固定装置。
【請求項８】
上記一対のハンガーケース支持部材に固定ネジでネジ止めされる上記ハンガーケースの下部を塞ぐカバーを備え、該カバーのネジ止め用の穴を下方向に滑らかに広がるガイド部を有するだるま穴とし、組立時に上記ハンガーケース支持部材に仮止めした固定ネジの胴部を上記だるま穴に通し、上記カバーを下へ落とし込むことで上記一対のハンガーケース支持部材の間隔が決められるようにしてなることを特徴とする請求項１ないし請求項７の何れかに記載のハンガーケース固定装置。
【請求項９】
エレベータのハンガーケースが三方枠上梁より上方に配設され、該三方枠上梁上に立設されたハンガーケース支持部材に該ハンガーケースを固定するハンガーケース固定装置において、上記三方枠上梁の上部に互いに離間して突設された２つの取付座と、これら２つの取付座の両外側端部に跨る長さに形成され、上記ハンガーケース支持部材を受けるための水平枠と、この水平枠の両端部にそれぞれ立設可能に形成され、上記水平枠を介して上記取付座に取り付けたときに上記三方枠上梁の幅方向外側の面を構成する側面部材が該取付座の外側部に当接するように下方向に突設形成された当て板部を有する２つのハンガーケース支持部材とを備え、据付時に上記ハンガーケース支持部材を上記水平枠に立設固定した後、該水平枠を上記２つの取付座に固定するようにされてなることを特徴とするハンガーケース固定装置。
【発明の詳細な説明】
【技術分野】
【０００１】
この発明はエレベータのハンガーケース固定装置に関し、特に乗場戸閉装置を嵩上げした場合などに好ましく用いることができるハンガーケース固定装置に関する。
【背景技術】
【０００２】
ハンガーケースは建築のコンクリート壁にアンカーボルトで固定するか、または建築の壁にアンカーできないときは、建築側で手配される鳥居状に組まれた鋼製枠にボルト固定される。しかし三方枠とハンガーケースは何れも建物に対して確実に固定して戸の開閉による揺れを押さえる必要があるため、三方枠の上枠上面に角状の支え金を取り付けてそれにハンガーケースを取り付ける方法が採用されていた（例えば特許文献１参照。）。
【０００３】
一方、高級な意匠が要求されるエレベータでは豪華さを出すため、かご天井を高く構成してかごの戸閉装置を嵩上げしてその嵩上げ分に対応して扉高さの高いものが組み合わされる。またこのようなエレベータの場合、乗場の三方枠も豪華な幕板付きでその幕板にインジケータを備えたりするため、昇降路内からインジケータを点検できるように乗場戸閉装置を嵩上げして戸も嵩上げに対応して高いものが適用される。これにより三方枠とハンガーケースの間にインジケータの点検スペースが確保される、そのためハンガーケースの嵩上げに相当して三方枠とハンガーケースが上下に離れるので、三方枠上梁上に立設するハンガーケース支持部材を断面コ字状の形鋼など強化されたものにして、しかもハンガーケースの上部と下部の２箇所を固定して安定化させて支持していた。
【０００４】
【特許文献１】特開平５−１７８５７０号公報（第１頁、図２）
【発明の開示】
【発明が解決しようとする課題】
【０００５】
上記特許文献１に示すものは三方枠とハンガーケースの固定例を示すものであるが、この例ではハンガーケースは嵩上げの必要がないタイプのため、支え金は平板で対応することができていた。
しかしハンガーケースを嵩上げする必要がある場合、三方枠とハンガーケースが上下に離れるので、三方枠上梁にハンガーケース支持部材を溶接して立設すると運搬や倉庫保管にスペースが必要なため、ハンガーケース支持部材を据付現地で三方枠受け金にボルト固定して、それにハンガーケースを取り付けていた。しかし、三方枠とハンガーケースが上下に離れているため、位置調整に時間が掛かるといった問題があった。
【０００６】
この発明は、かかる問題点を解決するためになされたもので、三方枠上梁上にハンガーケースを嵩上げ固定する必要がある場合でも、運搬が容易で倉庫保管のスペースも特別な考慮が不要で、据付時の位置調整も容易で組立に時間のかからないハンガーケース固定装置を得ることを目的としている。
【課題を解決するための手段】
【０００７】
この発明によるハンガーケース固定装置は、エレベータのハンガーケースが三方枠上梁より上方に配設され、該三方枠上梁上に立設された一対のハンガーケース支持部材に該ハンガーケースを固定するハンガーケース固定装置において、上記ハンガーケース支持部材を固定するための上記三方枠上梁の上部に設けられた取付座と、この取付座またはその近傍に設けられ、運搬時には上記ハンガーケース支持部材を上記三方枠上梁上に畳んで保持し、据付時には該ハンガーケース支持部材を起立させ得るように該ハンガーケース支持部材を係止する係止手段とを備えるようにしたものである。
【発明の効果】
【０００８】
この発明においては、運搬時にはハンガーケース支持部材（以下、単に「支持部材」と呼ぶ）を三方枠上梁上に畳んで保持し、据付時には該支持部材を起立させ得るように該支持部材を係止する係止手段を備えるようにしたことにより、運搬、保管時に支持部材が突き出たりしないため邪魔にならず、運搬が容易で倉庫保管のスペースも特別な考慮が不要である。しかも据付時には畳んだ支持部材を起立固定するだけで位置調整もできるので、作業が容易で省力化が計れる。
【発明を実施するための最良の形態】
【０００９】
実施の形態１．
図１〜図４はこの実施の形態１によるハンガーケース固定装置を説明するもので、図１は支持部材を三方枠上梁に折り畳み収納した状態を示す要部背面図、図２は図１のハンガーケース固定装置の支持部材を回動立設した状態を示す要部背面図、図３は図１の支持部材を折畳み収納したときの部分詳細斜視図、図４は図１の支持部材を回動立設し、ハンガーケースを支持部材に設けられた舌状の係止部に掛ける状態を示す要部斜視図である。なお、各図を通じて同一符号は同一もしくは相当部分を示すものとする。図において、三方枠１の上部枠を構成する三方枠上梁１１の両端部における上面部２箇所には、断面コ字状に形成され平らな面を上に向け、開口部側を下側にして三方枠上梁１１上に溶接等で伏せるように固着されてなる取付座１２がそれぞれ設けられている。
【００１０】
各取付座１２の上面部には、中央部にネジ穴１２ａが設けられ、矢印Ｃで示す乗場方向の外側（図３の左側）角部に切欠部１２ｂが設けられ、さらに矢印Ｄで示す昇降路側の内側（図３の右側）角部にボルト軸受け部１２ｃが上方に突出して形成されている。ハンガーケース２を固定するための支持部材３は、断面コ字状に形成された鋼材を用いた小柱からなり、その下端部と上記ボルト軸受け部１２ｃを貫通する貫通孔（図示省略）に挿通された係止手段４を構成する係止ボルト４１によって回動可能に保持されている。支持部材３の下端部における乗場側の外側角部には、起立させたときに切欠部１２ｂに係合する凸部３ａが設けられ、また、下端部を塞ぐ如く底板３１が固着されている。なお、該底板３１の中央部には貫通孔３１ａが設けられており、支持部材３を起立させたときに固定ボルト５１を該貫通孔３１ａに挿通してネジ穴１２ａに螺合、締結させて係止する。なお、切欠き３ｂはその固定ボルト５１を締結するときの工具操作用に設けられている。
【００１１】
支持部材３の背面部における上下方向中央部には、ハンガーケース２の下端部を係止するための舌状の係止部３２がプレスによる切り起こしによって突出形成されている。一方、ハンガーケース２の下端部には該係止部３２に嵌合する凹部２ａが設けられ、該凹部２ａの側面は下側が広く、上側が狭くなるようにテーパ状に形成された傾斜面２ｂとなっている。なお、支持部材３の背面部には、ハンガーケース２の上部を固定するためのネジ穴３ｃ、及びカバー（後述する実施の形態６の図１４に図示）を固定するためのネジ穴３ｄなどが設けられている。なお、ハンガーケース２については詳細図示省略しているが、例えば乗場戸閉め装置が２枚戸中央開き戸などに使用される一般的なものであって、その構造の一部については後述する実施の形態６の図１３に例示している。
【００１２】
次に、上記のように構成された実施の形態１の動作について説明する。この実施の形態１では、三方枠１を構成する三方枠上梁１１上の所定位置に予め取付座１２を溶接固定し、ハンガーケース２を固定するための支持部材３を係止ボルト４１及びナット（図示省略）からなる係止手段４にて取付座１２のボルト軸受け部１２ｃに軸支し、図１に示すように三方枠上梁１１上に折り畳んだ状態で保管あるいは建築現場に運搬する。建築現場では、支持部材３を図２に示すように、係止ボルト４１のまわりに矢印Ａ、矢印Ｂのように回動してそれぞれ起立させ、取付座１２の切欠部１２ｂに支持部材３の下端部に設けた凸部３ａを係合させることで位置決めが行われ、固定ボルト５１を底板３１の貫通孔３１ａに通して取付座１２のネジ穴１２ａに締付固定することで、支持部材３が三方枠上梁１１上に立設される。
【００１３】
なお、上記係止ボルト４１及びナット（図示省略）は支持部材３を折り畳むときは仮止め状態にしておき、支持部材３を三方枠上梁１１上に立設したときに本締めすることで、強固に固定することができる。また、ハンガーケース２は、支持部材３の中間高さに設けた舌状の係止部３２に落とし込むように該ハンガーケース２の凹部２ａを嵌合させ、支持部材３の上部のネジ穴３ｃにハンガーケース２の上部を図示省略している固定ボルトで固定する。上記凹部２ａには両側にテーパ状の傾斜面２ｂがあるのでそのテーパの作用で位置が中央にガイドされて規制される。
【００１４】
上記のようにこの実施の形態１によれば、ハンガーケース２を固定するための支持部材３を折畳み状態で三方枠上梁１１上に収納して工場から発送後、据付現地で三方枠１を仮設し支持部材３を回動立設し、三方枠１とハンガーケース２を固定するようにしたので、起立したときに三方枠１に対しハンガーケース２の位置が決まるように予め工場で設定できる。また、取付座１２と支持部材３には切欠部１２ｂと凸部３ａからなる嵌合構造が用いられているので、据付時、支持部材３を回動起立させたときの支持部材３の位置決めが容易である。さらに、支持部材３の係止部３２とハンガーケース２の凹部２ａによる嵌合を用いたので、組付けるだけで三方枠１とハンガーケース２の位置が決まるため、調整が不要で据付の省力化が可能となる。また三方枠１の輸送時は支持部材３が三方枠上梁１１上に折り畳まれて収納されているので邪魔にならず、しかも倉庫保管や輸送時の流通も改善できるといった効果も得られる。
【００１５】
実施の形態２．
図５及び図６はこの発明の実施の形態２によるハンガーケース固定装置を説明するもので、図５は支持部材を畳んだ状態を一部切欠いて示す要部斜視図、図６（ａ）は支持部材を起立させたときの状態を示す要部斜視図、図６（ｂ）は同じく支持部材を起立させたときの要部背面図である。この実施の形態２では、取付座１２の内側（三方枠１の内側、図５では右側）方向の端部側上面に２つのボルト軸受け部１２ｃ、１２ｄがそれぞれ上方に突出形成され、取付座１２の外側（三方枠１の外側、図５の左側）方向の端部下側中央部にはナット１２ｅがネジ穴を外側に向けて固着されている。
【００１６】
そして、支持部材３として断面が角張ったＣ字状の小柱が用いられ、係止ボルト４１は、ボルト軸受け部１２ｃ、支持部材３の背面部、支持部材３の前面曲げ刃部３３、及びボルト軸受け部１２ｄを順次貫通してナット（図示省略）に締結され、支持部材３を回動可能に保持している。また、支持部材３の側面部材３ｆは、背面部の下端面３ｅよりも下方に延出され、該側面部材３ｆの延出部分の中央部に固定ボルト５２で締付け固定するためのテーパ付き切欠き部３ｇが形成されている。その他の構成は上記実施の形態１と同様であるので説明を省略する。
【００１７】
上記のように構成された実施の形態２では、ハンガーケースを固定する支持部材３の奥行き方向全幅を長い係止ボルト４１により軸支しているため、安定した回動起立ができる。同時に、下端部の固定ボルト５２の締め付け部をテーパ付き切欠き部３ｇとして構成したため、固定ボルト５２を緩めた状態で支持部材３を回動起立させることにより、固定ボルト５２のネジ部にテーパ付き切欠き部３ｇのテーパ部がガイドされる嵌合構造によって支持部材３の位置が容易に決まる。
これにより支持部材３の安定した軸支ができ、さらに支持部材３を起立させるときにはテーパ付き切欠き部３ｇのテーパと固定ボルト５２のネジ部による嵌合構造によって位置決めを容易に行うことができる。
【００１８】
実施の形態３．
図７及び図８はこの発明の実施の形態３によるハンガーケース固定装置を説明するもので、図７は支持部材３を畳んだ状態を一部切欠いて示す要部斜視図、図８（ａ）は支持部材３を起立させたときの状態を示す要部斜視図、図８（ｂ）は同じく支持部材３を起立させたときの要部背面図である。この実施の形態３では、図示のように断面コ字状の受金からなる取付座１２を、開口部が上を向くように三方枠上梁１１上に固定し、実施の形態２と同様の断面が角張ったＣ字状の支持部材３が取付座１２の内面ガイド部１２ｆにガイドされて起立するようにしたものである。
【００１９】
なお、取付座１２の背面側（図７の手前側）の縦枠１２ｇには、ばか穴１２ｈが設けられ、起立させたときに対向する支持部材３の背面部にはネジ穴３ｈが螺設され、固定ボルト５３及び係止ボルト４１で支持部材３を取付座１２に固定するように構成されている。なお、その他の構成は上記実施の形態２と同様である。
上記構成になる実施の形態３においては、実施の形態２と同様、支持部材３を係止手段４としての長い係止ボルト４１で軸支することで安定した回動、起立が可能となる。また取付座１２の両側面全部が内面ガイド部１２ｆとなり、折畳み状態から回動起立まで一貫してガイドされるため、位置がずれる惧れがないなどの効果が得られる。
【００２０】
実施の形態４．
図９及び図１０はこの発明の実施の形態４によるハンガーケース固定装置を説明するもので、図９は支持部材３を畳んだ状態での要部組立斜視図、図１０（ａ）は支持部材３を畳んだときの状態を示す要部背面図、図１０（ｂ）は支持部材３を起立させたときの要部背面図、図１０（ｃ）は図９に示すナットの形状を示す斜視図である。図において、取付座１２は、三方枠上梁１１上に立設された当て板１２ｉと、一端部がこの当て板１２ｉの内側（図９の手前側）上端から板厚分程度下がった位置に固着され、他端部方向に、三方枠上梁１１と平行に形成された上面部、及び該上面部から他端部側側面にかけてＲ形状に滑らかに曲げられ、下端部が三方枠上梁１１に固定された側面部を有する受金１２ｊからなっており、該受金１２ｊには、上面部からＲ形状部を経て側面部にわたって連続形成された長穴１２ｋが設けられている。
【００２１】
一方、小柱からなる支持部材３は下端部に底板３１を有し、該底板３１には上記受金１２ｊの長穴１２ｋに貫通する長穴３１ｂが設けられ、係止ボルト４２を底板３１の長穴３１ｂから受金１２ｊの長穴１２ｋに挿通し、受金１２ｊの内側からＲ面付きのナット４３で緩く締めることにより取付座１２に係止されている。なお、この例では係止手段４は、上記受金１２ｊの長穴１２ｋと、上記底板３１に設けられた長穴３１ｂと、これら２つの長穴に挿通された係止ボルト４２と、この係止ボルト４２の先端部に螺合されたＲ面付きのナット４３からなっている。
【００２２】
上記のように構成された実施の形態４においては、受金１２ｊのＲ形状部の長穴１２ｋをガイドに、支持部材３を三方枠上梁１１に折畳み収納した状態からスライドさせ、図１０（ｂ）の矢印Ｅで示すように回動起立させ、図１０（ｂ）に示すように支持部材３の下端部外側（図の左側）の面を当て板１２ｉの突出部に当接させて、係止ボルト４２及びＲ面付きのナット４３を締付けることでハンガーケース（図示省略）の取付位置を容易に決めることができる。
【００２３】
実施の形態５．
図１１及び図１２はこの発明の実施の形態５によるハンガーケース固定装置を説明するもので、図１１は三方枠上梁と支持部材を示す分解斜視図、図１２は図１１の三方枠上梁に対する支持部材の取付方法を説明する背面図である。図において、断面コ字状の小柱からなる支持部材３は、三方枠１の両外側方向の側面を構成する側面部材３ｆの下端部を延伸した当て板部３４を有し、底板３１の中央部には固定ボルト５４を挿通するための貫通孔３１ａが設けられている。該支持部材３は、２つの取付座１２の両外側端部に跨る長さに形成された水平枠１３の両端部にそれぞれ立設され、水平枠１３に螺設されたネジ穴１３ａに固定ボルト５４で締結することで固着される。水平枠１３における支持部材３の立設位置の内側（中央部寄り）には固定ボルト５５を挿通するための挿通孔１３ｂが設けられており、三方枠上梁１１上に固着された一対の取付座１２のネジ穴１２ｍに固定ボルト５５で締結される。なお、取付座１２の中央部には上記固定ボルト５４の逃がし穴１２ｎが設けられている。
【００２４】
この実施の形態５では、工場で三方枠上梁１１上に一対の取付座１２を固着しておき、据付現場で支持部材３を水平枠１３に固定ボルト５４で取り付け、それを三方枠上梁１１の左右の取付座１２に取り付けるもので、水平枠１３に取り付けた支持部材３の側面部材３ｆの下端部に設けられた当て板部３４が三方枠上梁１１の左右の取付座１２の外側端部にそれぞれ当接することで、三方枠１、即ち三方枠上梁１１と支持部材３の位置が決まる。これにより固定ボルト５４を締付けることで、三方枠１と図示省略しているハンガーケースとの位置は確実に決められるものである。また、寸法が合わせ易く、運搬や保管に際しても、上記実施の形態１〜４と同様の効果が期待できる。
【００２５】
実施の形態６．
図１３及び図１４はこの発明の実施の形態６によるハンガーケース固定装置を説明するもので、図１３は三方枠とハンガーケースと建屋の関係を示す要部断面図、図１４は図１３の三方枠上梁と支持部材とカバーを示す斜視図である。図において、三方枠１は乗場側（図１３の左側）と昇降路側（図１３の右側）を仕切る建屋コンクリート８の開口部８ａに設けられる。乗場側の上部には三方枠幕板１４が設けられ、該三方枠幕板１４に乗客に情報類を表示するインジケータ７が設けられる。また、三方枠上梁１１上に立設された一対の支持部材３の背面側（図１３の右側）にはハンガーケース２が取り付けられ、ハンガーケース２の下部にはカバー１５が取り付けられる。
【００２６】
ハンガーケース２には、乗場の戸６１を吊っている戸車ユニット６２を走行させるレール２１が設けられており、さらに戸車ユニット６２の昇降路側にはハンガーケースカバー２２が設けられている。この実施の形態６では、ハンガーケース２の支持部材３相互に取り付けるカバー１５の左右上下４箇所に、滑らかな傾斜面からなるガイド部１５ｂを有するだるま穴１５ａが設けられており、支持部材３に取り付けた固定ネジ１６を緩めて、そのネジ部をだるま穴１５ａに通し、カバー１５を下に落とせば、だるま穴１５ａの大穴から小穴にかけてのガイド部１５ｂにガイドされて、左右の支持部材３の位置が決まるようにしたものである。これにより支持部材３が振れなく確実にハンガーケース２を固定することができる。なお、支持部材３の三方枠上梁１１に対する固定方法ないしは固定装置は上記実施の形態１〜５の何れであっても良い。
【００２７】
実施の形態７．
図１５はこの発明の実施の形態７によるハンガーケース固定装置における支持部材にハンガーケースを固定する場合の調整方法を説明する図であり、図１５（ａ）はハンガーケースの下端部を示す斜視図、図１５（ｂ）はハンガーケースと支持部材の位置調整方法を説明する斜視図、図１５（ｃ）は縦溝を拡大して示す斜視図、図１５（ｄ）は上記縦溝に対応する位置に設けられたハンガーケースの穴を拡大して示す斜視図である。図において、ハンガーケース２の凹部２ａの上部所定位置には穴２ｃが設けられている。一方、支持部材３の高さ方向中央部付近に設けられた舌状の係止部３２の上部には、係止部３２を切り起こしたことによって形成された穴３２ａに開口するスリット状の縦溝３２ｂが設けられている。
【００２８】
上記縦溝３２ｂは、ハンガーケース２の凹部２ａを舌状の係止部３２に落とし込んだときに、ハンガーケース２の穴２ｃに略一致する位置に設けられている。なお、２３はハンガーケース２の上部に設けられた固定用の穴２ｄを利用して該ハンガーケース２の上部を保持部材３に固定するためのネジ穴３ｃに螺合する固定ボルト、９はシノまたはマイナス（あるいはプラス）ドライバーなどの棒状工具である。なお、三方枠上梁１１に対する支持部材３の固定方法ないしは固定装置は上記実施の形態１〜６の何れであっても良い。
【００２９】
本実施の形態７では、支持部材３の係止部３２上方に縦溝３２ｂを設ける一方、ハンガーケース２の縦溝３２ｂに対向する位置に穴２ｃを開けて、三方枠１とハンガーケース２の支持部材３が据付までの輸送中に外力で変形して位置が合わないなどの場合を想定し、そのような場合にハンガーケース２の位置を是正できるようにしたものである。位置が合わない時に、支持部材３の縦溝３２ｂとハンガーケース２の穴２ｃにシノやマイナスドライバーなどの棒状工具９の先を入れて、図１５（ｂ）の矢印Ｆで示す左右方向にこじることで位置を簡単に調整することができる。
【００３０】
ところで、以上の各実施の形態で説明したハンガーケースは乗場戸閉め装置が２枚戸中央開き戸に適用した場合を例示したが、これに限定されるものではなく、例えば２枚戸片開き方式や２枚戸中央開戸、３枚戸片開戸、４枚戸中央開戸などにも適用できることは言うまでもない。また、取付座１２は、三方枠上梁１１上に直接取り付けても差し支えないし、板状の補強材などを介して取り付けても良い。また、係止手段４は取付座１２に設けたが、取付座１２の近傍でも差し支えない。さらに、取付座１２に対する支持部材３の係止手段、係止位置、及び相互の嵌合構造、あるいは設置する取付座１２や支持部材３の数など、実施の形態に例示したものに限定されるものでないことは言うまでもない。
【図面の簡単な説明】
【００３１】
【図１】この発明の実施の形態１によるハンガーケース固定装置の支持部材を三方枠上梁に折り畳み収納した状態を示す要部背面図。
【図２】図１のハンガーケース固定装置の支持部材を回動立設した状態を示す要部背面図。
【図３】図１の支持部材を折畳み収納したときの部分詳細斜視図。
【図４】図１の支持部材を回動立設し、ハンガーケースを支持部材に設けられた舌片部に掛ける状態を示す要部斜視図。
【図５】この発明の実施形態２によるハンガーケース固定装置の支持部材を畳んだ状態を一部切欠いて示す要部斜視図。
【図６】図６（ａ）は図５の支持部材を起立させたときの状態を示す要部斜視図、図６（ｂ）は同じく支持部材を起立させたときの要部背面図。
【図７】この発明の実施形態３によるハンガーケース固定装置の支持部材を畳んだ状態を一部切欠いて示す要部斜視図。
【図８】図８（ａ）は図７の支持部材３を起立させたときの状態を示す要部斜視図、図８（ｂ）は同じく支持部材を起立させたときの要部背面図。
【図９】この発明の実施形態４によるハンガーケース固定装置の支持部材を畳んだ状態での要部組立斜視図。
【図１０】図１０（ａ）は図９の支持部材を畳んだときの状態を示す要部背面図、図１０（ｂ）は支持部材を起立させたときの要部背面図、図１０（ｃ）は図９に示すナットの形状を示す斜視図。
【図１１】この発明の実施の形態５によるハンガーケース固定装置の三方枠上梁と支持部材を示す分解斜視図。
【図１２】図１１の三方枠上梁に対する支持部材の取付方法を説明する背面図。
【図１３】この発明の実施の形態６によるハンガーケース固定装置の三方枠とハンガーケースと建屋の関係を示す要部断面図。
【図１４】図１３に示す三方枠上梁と支持部材とカバーを示す斜視図。
【図１５】この発明の実施の形態７によるハンガーケース固定装置における支持部材にハンガーケースを固定する場合の調整方法を説明する図で、図１５（ａ）はハンガーケースの下端部を示す斜視図、図１５（ｂ）はハンガーケースと支持部材の位置調整方法を説明する斜視図、図１５（ｃ）は縦溝を拡大して示す斜視図、図１５（ｄ）は上記縦溝に対応する位置に設けられたハンガーケースの穴を拡大して示す斜視図。
【符号の説明】
【００３２】
１  三方枠、  １１  三方枠上梁、  １２  取付座、  １２ａ  ネジ穴、  １２ｂ  切欠部、  １２ｃ、１２ｄ  ボルト軸受け部、  １２ｅ  ナット、  １２ｆ  内面ガイド部、  １２ｇ  縦枠、  １２ｈ  ばか穴、  １２ｉ  当て板、  １２ｊ  受金、  １２ｋ  長穴、  １２ｍ  ネジ穴、  １２ｎ  逃がし穴、  １３  水平枠、  ネジ穴１３ａ  、  １３ｂ  挿通孔、  １４  三方枠幕板、  １５  カバー、  １５ａ  だるま穴、  １５ｂ  ガイド部、  １６  固定ネジ、  ２  ハンガーケース、  ２ａ  凹部、  ２ｂ  傾斜面、  ２ｃ、２ｄ  穴、  ２１  レール、  ２２  ハンガーケースカバー、  ２３  固定ボルト、  ３  支持部材、  ３ａ  凸部、  ３ｂ  切欠き、  ３ｃ、３ｄ  ネジ穴、  ３ｅ  端面、  ３ｆ  側面部材、  ３ｇ  テーパ付き切欠き部、  ３ｈ  ネジ穴、  ３１  底板、  ３１ａ  貫通孔、  ３１ｂ  長穴、  ３２  係止部、  ３２ａ  穴、  ３２ｂ  縦溝、  ３３  前面曲げ刃部、  ３４  当て板部、  ４  係止手段、  ４１、４２  係止ボルト、  ４３  Ｒ面付きのナット、  ５１、５２、５３、５４、５５  固定ボルト、６１  戸、  ６２  戸車ユニット、  ７  インジケータ、  ８  建屋コンクリート、  ８ａ  開口部、  ９  棒状工具。
【図１】
2007137613.tif 000003
【図２】
2007137613.tif 000004
【図３】
2007137613.tif 000005
【図４】
2007137613.tif 000006
【図５】
2007137613.tif 000007
【図６】
2007137613.tif 000008
【図７】
2007137613.tif 000009
【図８】
2007137613.tif 000010
【図９】
2007137613.tif 000011
【図１０】
2007137613.tif 000012
【図１１】
2007137613.tif 000013
【図１２】
2007137613.tif 000014
【図１３】
2007137613.tif 000015
【図１４】
2007137613.tif 000016
【図１５】
2007137613.tif 000017